【手続補正書】
【提出日】平成20年3月6日(2008.3.6)
【手続補正１】
【補正対象書類名】明細書
【補正対象項目名】特許請求の範囲
【補正方法】変更
【補正の内容】
【特許請求の範囲】
【請求項１】  第１のコンピュータ・システムに格納されている第１のドキュメント中のテキストの一部分をユーザが選択できるようにするステップと、
前記一部分を無線ネットワークが使用できるようにする第１のオプションをユーザに提供するステップと、
ユーザが前記第１のオプションを選択し、前記第２のコンピュータ・システムが前記第１のコンピュータ・システムに前記一部分の送信を要求する無線信号を送信した場合に、無線ネットワークを介して前記部分を第２のコンピュータ・システムに無線で送信するステップと、
から構成され、前記送信するステップは、前記第１と第２のコンピュータ間でシェアされる何れのメモリにおいても排他的に行われることを特徴とする方法。
【請求項２】  前記第１のコンピュータ・システムに格納されている第２のドキュメントが前記一部分を使用できるようにし、前記無線ネットワークには使用できないようにする第２のオプションをユーザに提供するステップをさらに有することを特徴とする請求項１に記載の方法。
【請求項３】  ユーザが前記一部分を選択できるようにするステップは、
前記第１のコンピュータ・システムでアプリケーション・プログラムを実行して前記第１のドキュメントを開いて閲覧するステップと、
前記ユーザによるポインティング装置の動きを変換して前記第１のドキュメント中のテキストの前記一部分を選択するステップと、
を有することを特徴とする請求項１に記載の方法。
【請求項４】  前記第１のオプションを前記ユーザに提供するステップは、前記ユーザによって前記無線ネットワークに結合された１つまたは複数のコンピュータ・システムのリストからユーザが選択した第２のコンピュータ・システムが前記一部分を使用できるようにするステップを有することを特徴とする請求項４に記載の方法。
【請求項５】  前記第１のオプションをユーザに提供するステップは、前記ユーザによって前記無線ネットワークに結合された１つまたは複数のコンピュータ・システムのリストから前記ユーザが選択した第２のコンピュータ・システムが前記一部分を使用できるようにするステップを有することを特徴とする請求項１に記載の方法。
【請求項６】  前記第１のオプションをユーザに提供するステップは、前記無線ネットワークに結合された１つまたは複数のコンピュータ・システムのリストからユーザが選択した第２のコンピュータ・システムが、前記一部分を使用できるようにするステップを有することを特徴とする請求項１に記載の方法。
【請求項７】  前記第１のオプションをユーザに提供するステップは、前記ユーザによる数および識別の指定のなく且つ前記無線ネットワークに結合されたコンピュータ・システムが前記一部分を使用できるようにするステップを有することを特徴とする請求項１に記載の方法。
【請求項８】  請求項１の方法を実装するようにプログラムされていることを特徴とするコンピュータ・システム。
【請求項９】  第１のコンピュータ・システムに格納されている第１のドキュメント中のある場所をユーザが特定できるようにするステップと、
無線ネットワークから前記第１のドキュメント中の前記場所にデータを貼り付ける第１のオプションをユーザに提供するステップと、
ユーザが前記第１のオプションを選択し、前記第２のコンピュータ・システムが前記第１のコンピュータ・システムに前記データは送信可能であることを示す無線信号を送信した場合に、無線ネットワークを介して第２のコンピュータ・システムから前記データを無線で受信するステップと、
から構成され、前記送信するステップは前記第１と第２のコンピュータ間でシェアされる何れのメモリにおいても排他的に行われることを特徴とする方法。
【請求項１０】  前記第１のコンピュータ・システムに格納されている第２のドキュメントから前記第１のドキュメント中の前記場所にデータを貼り付ける第２のオプションをユーザに提供するステップをさらに有することを特徴とする請求項９に記載の方法。
【請求項１１】  前記第１のオプションをユーザに提供するステップは、前記無線ネットワークに結合された１つまたは複数のコンピュータ・システムのリストからユーザが選択した前記第２のコンピュータ・システムから、前記ユーザが前記データを貼り付けることができるようにするステップを有することを特徴とする請求項９に記載の方法。
【請求項１２】  前記第１のオプションをユーザに提供するステップは、前記第２コンピュータ・システムが、すぐにデータが送信できることを示す無線信号を前記第１のコンピュータ・システムに送信する前記無線ネットワークに結合された唯一のコンピュータ・システムである場合に、前記無線ネットワークに結合されたユーザ指定なしの第２コンピュータ・システムから、前記ユーザが前記データを貼り付けることができるようにするステップを有することを特徴とする請求項９に記載の方法。
【請求項１３】  請求項９に記載の方法を実装するようにプログラムされていることを特徴とするコンピュータ・システム。
【請求項１４】  前記第１のコンピュータ・システムに格納されている前記第１のドキュメント中のデータの一部分を前記ユーザが選択できるようにするステップと、
前記一部分を無線ネットワークが使用できるようにする第３のオプションをユーザに提供するステップと、
から構成されることを特徴とする請求項９に記載の方法。
【請求項１５】  前記第１のコンピュータ・システムに格納されている前記第２のドキュメントが前記一部分を使用できるようにし、前記無線ネットワークには使用できないようにする第４のオプションをユーザに提供するステップをさらに有することを特徴とする請求項１４に記載の方法。
【請求項１６】  請求項１４に記載の方法を実装するようにプログラムされていることを特徴とするコンピュータ・システム。
【請求項１７】  プロセッサと、
前記プロセッサに結合された無線通信受信機と、
前記プロセッサに結合された無線通信送信機と、
前記コンピュータ・システムに格納され、前記コンピュータ・システムに格納された開いたドキュメント中の場所をユーザが特定できるようにし、受信されたデータを前記受信機を介して前記第１のドキュメント中の前記場所に貼り付けるオプションをユーザに提供するソフトウェアと、
から構成され、前記データは、第２のコンピュータ・システムが前記データを送信可能であることを示す無線信号を送った時に前記第２のコンピュータ・システムから無線を介して受け取られ、この送信ステップは前記第１と第２のコンピュータ間でシェアされる何れのメモリにおいても排他的に行われることを特徴とするコンピュータ・システム。
【請求項１８】  前記ソフトウェアがさらに、前記ドキュメント中のデータの一部分をユーザが選択し、前記送信機を介して前記部分を送信するオプションをユーザに提供できるようにすることを特徴とする請求項１７に記載のコンピュータ・システム。
【請求項１９】  １組の命令を格納したコンピュータ可読媒体であって、前記１組の命令が第１のコンピュータ・システムによって実行されると、前記第１のコンピュータ・システムは、
ポインティング装置を使用して、前記第１のコンピュータ・システムに格納された第１のドキュメント中のテキストの一部分をユーザがグラフィカルに選択できるようになり、  前記一部分を無線ネットワークが使用できるようにする第１のオプションをユーザに提供し、
ユーザが前記第１のオプションを選択し、前記第２のコンピュータ・システムが前記第１のコンピュータ・システムに前記データは送信可能であることを示す無線信号を送信した場合に、前記第２のコンピュータ・システムが前記第１のコンピュータ・システムに前記部分の送信を要求する無線信号を送信し、
この送信は、前記第１と第２のコンピュータ間でシェアされる何れのメモリにおいても排他的に行われることを特徴とするコンピュータ可読媒体。
【請求項２０】  前記１組の命令により、さらに第１のコンピュータ・システムに格納されている第２のドキュメントが前記一部分を使用できるようにし、前記無線ネットワークには使用できないようにするための第２のオプションをユーザに提供することを特徴とする請求項１９に記載の媒体。
【請求項２１】  前記１組の命令により、さらに、第１のコンピュータ・システムは、前記無線ネットワークに結合された１つまたは複数のコンピュータ・システムのリストからユーザが選択した第２のコンピュータ・システムにて前記一部分を使用できるようにすることを特徴とする請求項２０に記載の媒体。
【請求項２２】  前記１組の命令により、さらに、第１のコンピュータ・システムは前記第１のドキュメントのある場所をユーザが特定し、前記無線ネットワークからのデータを前記第１のドキュメントの前記場所に貼り付けるオプションをユーザに提供できるようになることを特徴とする請求項１９に記載の媒体。
【請求項２３】  前記１組の命令により、さらに、前記第１のコンピュータ・システムは、前記無線ネットワークに結合された１つまたは複数のコンピュータ・システムのリストからユーザが選択した第２のコンピュータ・システムからの前記データを、前記ユーザが貼り付けることができるようになることを特徴とする請求項２２に記載の媒体。